(57)【要約】【課題】複製された曲データを記録メディアでの曲順を忠実に再現しつつ再生できる再生装置及び複製された曲データの再生方法を提供する。また、これを可能とする曲データの複製方法を提供する。【解決手段】ＣＤがセットされると（Ｓ１０１）、ＴＯＣ情報を生成し（Ｓ１０２）、これとＲＡＭ１４に記憶されているＴＯＣ情報とを比較する（Ｓ１０３）。同一のＴＯＣ情報が無ければ（Ｓ１０４のＮｏ）、識別番号を生成し、これとＴＯＣ情報とを対応付けて格納する（Ｓ１０５）。但し、各曲データの順序はＣＤに格納された曲の順序と同じとする。その後、一連の流れにおいて未コピーの曲をコピーするか否かを指示させるダイアログを表示し（Ｓ１０７）、入力された指示に基づいて動作を実行する。再生時には格納しておいたＴＯＣ情報に基づいて、オリジナルと同じ曲順で再生する。【選択図】          図３
2004259365.tif 000002
【特許請求の範囲】
【請求項１】
所定の読取手段にセットされた記録媒体に記録された曲データを所定の記録手段にコピーするコピー手段を有する再生装置において、
前記読取手段に前記記録媒体がセットされた際、該記録媒体に記録されている曲データのリストを該記録媒体における曲順に従って作成するリスト作成手段と、
前記リスト作成手段で作成したリストを保持するリスト保持手段と、
前記リストに基づいて前記記録手段に複製した曲データを前記記録媒体に記録されている順序に従って再生する再生手段と
を有することを特徴とする再生装置。
【請求項２】
前記読取手段に前記記録媒体がセットされた際、前記リスト作成手段で作成したリストと前記リスト保持手段に保持されたリストとを比較することで、前記記録媒体に対応するリストを特定するリスト特定手段を有し、
前記リスト作成手段はコピー済みの曲とコピーしていない曲とを区別するための情報を前記曲データに対応づけて前記リストを作成し、
前記コピー手段は前記リスト特定手段で特定した前記リストに基づいてコピーしていない曲を前記記録手段にコピーすることを特徴とする請求項１記載の再生装置。
【請求項３】
前記記録媒体が前記読取手段にセットされた際、該記録媒体におけるコピーしていない曲をコピーするか否かをユーザに選択させるためのダイアログを表示するダイアログ表示手段を有し、
前記コピー手段は、前記ダイアログに基づいてユーザから前記コピーしていない曲をコピーする指示が入力された場合、前記コピーしていない曲を前記記録手段にコピーすることを特徴とする請求項１記載の再生装置。
【請求項４】
前記リストに基づいて前記コピーしていない曲をユーザに判別可能に表示するリスト表示手段と、
該リスト表示手段で表示された前記コピーしていない曲に基づいてコピー対象とする曲を選択させる対象曲選択手段とを有し、
前記コピー手段は前記対象曲選択手段で選択された前記コピーしていない曲の曲データを前記記録手段にコピーすることを特徴とする請求項１記載の再生装置。
【請求項５】
前記リスト表示手段は前記コピーしていない曲を反転表示又は強調表示することを特徴とする請求項４記載の再生装置。
【請求項６】
前記リスト作成手段は、前記記録媒体に含まれる曲数と該記録媒体全体の総演奏時間と各曲データの演奏時間とに基づいて前記リストを作成することを特徴とする請求項１記載の再生装置。
【請求項７】
所定の読取手段に記録媒体がセットされた際、該記録媒体に含まれる曲データのリストを該記録媒体における曲順に従って作成するリスト作成ステップと、該リスト作成ステップで作成した前記リストを所定の記憶領域に保持するリスト保持ステップと、前記記録媒体に含まれる前記曲データの少なくとも１つを前記記録手段にコピーするコピーステップと、前記コピーステップでコピーした前記曲データに対応付けてコピー済みを示す情報を前記所定の記憶領域に格納するコピー済情報格納ステップとを有して複製された曲データの再生方法であって、
前記リストに基づいて前記記録手段に複製した曲データを前記記録媒体に記録されている順序に従って再生する再生ステップを有することを特徴とする複製された曲データの再生方法。
【請求項８】
所定の読取手段に記録媒体がセットされた際、該記録媒体に含まれる曲データのリストを該記録媒体における曲順に従って作成するリスト作成ステップと、該リスト作成ステップで作成した前記リストを所定の記憶領域に保持するリスト保持ステップと、前記記録媒体に含まれる前記曲データの少なくとも１つを前記記録手段にコピーするコピーステップと、前記コピーステップでコピーした前記曲データに対応付けてコピー済みを示す情報を前記所定の記憶領域に格納するコピー済情報格納ステップとを有する曲データの複製方法であって、
前記読取手段に前記記録媒体がセットされた際、該記録媒体におけるコピーしていない曲をコピーするか否かをユーザに選択させるためのダイアログを表示するダイアログ表示ステップを有し、
前記コピーステップは、該ダイアログ表示ステップで表示した前記ダイアログに基づいて前記コピーしていない曲のコピーがユーザから指示された場合、該コピーしていない曲の曲データを前記記録手段にコピーすることを特徴とする曲データの複製方法。
【請求項９】
前記読取手段に前記記録媒体がセットされた際、前記リスト作成ステップで作成したリストと前記リスト保持ステップで保持したリストとを比較することで、前記記録媒体に対応するリストを特定するリスト特定ステップと、
前記リスト特定ステップで特定した前記リストに基づいて前記コピーしていない曲をユーザに判別可能に表示するリスト表示ステップと、
該リスト表示ステップで表示した前記コピーしていない曲に基づいてコピー対象とする曲を選択させる対象曲選択ステップとを有し、
前記コピーステップは前記対象曲選択ステップで選択された前記コピーしていない曲の曲データを前記記録手段にコピーすることを特徴とする請求項８記載の曲データの複製方法。
【請求項１０】
前記リスト表示ステップは前記コピーしていない曲を反転表示又は強調表示することを特徴とする請求項９記載の曲データの複製方法。
【請求項１１】
前記リスト作成ステップは、前記記録媒体に含まれる曲数と該記録媒体全体の総演奏時間と各曲データの演奏時間とに基づいて前記リストを作成することを特徴とする請求項８記載の曲データの複製方法。
【発明の詳細な説明】
【０００１】
【発明の属する技術分野】
本発明は、オリジナルの記録媒体に記録された曲を複製可能な再生装置、複製された曲データの再生方法及び曲データの複製方法に関する。
【０００２】
【従来の技術】
近年、音楽メディア等の再生装置では、膨大な量のマルチメディアデータを記憶装置に複製することで、音楽ＣＤやＣＤ−ＲＯＭ等の記録媒体を持ち運ぶ煩わしさが解消されつつある。
【０００３】
特に車載用のオーディオ機器では、カーナビゲーション装置やその他の情報処理装置で共用されるハードディスク等の大容量記憶装置を用いることで、従来の構成をそのままに、音楽データを複製し、これを携帯できるように構成されている。
【０００４】
しかしながら、従来用いられていた方式では、音楽ＣＤやＣＤ−ＲＯＭ等のアルバム又はシングルを個別に識別していなかったため、重複した複製を防止することが困難であった。また、これを防止するためには、ユーザが記憶したり、メモ等に書き残したり等の手間を要し、煩わしいという問題が存在した。
【０００５】
このような問題を解決する方法として、以下に示す特許文献１で開示されるような技術が存在する。この従来技術では、複製済みの曲データの一部を抽出して記憶し、以降複製する際に、このデータを比較して重複の可否を判断するように構成されている。
【０００６】
【特許文献１】
特開２００２−２０８２５９号公報
【０００７】
【発明が解決しようとする課題】
しかしながら、上記した従来技術では、個々の曲データをオリジナルである記録媒体での順序に基づいて管理していないため、例えば複数回に分けて複製した場合、曲順がオリジナルと異なってしまうという問題が存在する。即ち、例えば１回目の複製時に、全８曲中、１曲目と３曲目と７曲目を複製し、２回目の複製時に残りの曲を複製した場合、再生装置での曲順がこの複製した際の順序となってしまう。
【０００８】
本発明は、このような問題に鑑みてなされたもので、複製された曲データを記録メディアでの曲順を忠実に再現しつつ再生することができる再生装置及び複製された曲データの再生方法を提供することを目的とする。また、このように記録メディアでの曲順を再現した再生を可能とするための曲データの複製方法を提供することを目的とする。
【０００９】
【課題を解決するための手段】
かかる目的を達成するために、本発明は、所定の読取手段にセットされた記録媒体に記録された曲データを所定の記録手段にコピーするコピー手段を有する再生装置において、前記読取手段に前記記録媒体がセットされた際、該記録媒体に記録されている曲データのリストを該記録媒体における曲順に従って作成するリスト作成手段と、前記リスト作成手段で作成したリストを保持するリスト保持手段と、前記リストに基づいて前記記録手段に複製した曲データを前記記録媒体に記録されている順序に従って再生する再生手段とを有するように構成される。記録媒体のセット時にこの記録媒体における曲順を示すリストを作成しつつ、記録手段に複製した曲データを再生する際に、このリストにおける曲順に従って再生することで、記録媒体（記録メディアともいう）での曲順を忠実に再現しつつ複製された曲データを再生することが可能となる。
【００１０】
また、上記の再生装置は、例えば前記読取手段に前記記録媒体がセットされた際、前記リスト作成手段で作成したリストと前記リスト保持手段に保持されたリストとを比較することで、前記記録媒体に対応するリストを特定するリスト特定手段を有し、前記リスト作成手段がコピー済みの曲とコピーしていない曲とを区別するための情報を前記曲データに対応づけて前記リストを作成し、前記コピー手段が前記リスト特定手段で特定した前記リストに基づいてコピーしていない曲を前記記録手段にコピーするように構成されてもよい。記録媒体のセット時にリストを取得して、コピー済みの曲データとコピーしていない曲データとを区別することで、曲データを重複して複製することを回避できる。
【００１１】
また、上記の再生装置は、例えば前記記録媒体が前記読取手段にセットされた際、該記録媒体におけるコピーしていない曲をコピーするか否かをユーザに選択させるためのダイアログを表示するダイアログ表示手段を有し、前記コピー手段が、前記ダイアログに基づいてユーザから前記コピーしていない曲をコピーする指示が入力された場合、前記コピーしていない曲を前記記録手段にコピーするように構成されてもよい。記録媒体のセット時にコピー済みでない曲データの複製を指示させるためのダイアログを表示することで、記録媒体のセットから曲データの複製までを一連の作業で完了させることが可能となり、ユーザに要する手間が簡素化される。
【００１２】
また、上記の再生装置は、例えば前記リストに基づいて前記コピーしていない曲をユーザに判別可能に表示するリスト表示手段と、該リスト表示手段で表示された前記コピーしていない曲に基づいてコピー対象とする曲を選択させる対象曲選択手段とを有し、前記コピー手段が前記対象曲選択手段で選択された前記コピーしていない曲の曲データを前記記録手段にコピーするように構成されてもよい。コピー済みの曲とコピーしていない曲とを判別可能に表示し、これに基づいてコピー対象の曲を選択させるように構成することで、容易にユーザが所望する曲データのみをコピーすることが可能となる。
【００１３】
また、上記のリスト表示手段は、例えば前記コピーしていない曲を反転表示又は強調表示するように構成されてもよい。これにより、ユーザが容易にコピーしていない曲を判別することができる。
【００１４】
また、上記のリスト作成手段は、例えば前記記録媒体に含まれる曲数と該記録媒体全体の総演奏時間と各曲データの演奏時間とに基づいて前記リストを作成することで、記録媒体を個別に識別可能とする前記リストを作成するように構成されてもよい。
【００１５】
また、本発明は、所定の読取手段に記録媒体がセットされた際、該記録媒体に含まれる曲データのリストを該記録媒体における曲順に従って作成するリスト作成ステップと、該リスト作成ステップで作成した前記リストを所定の記憶領域に保持するリスト保持ステップと、前記記録媒体に含まれる前記曲データの少なくとも１つを前記記録手段にコピーするコピーステップと、前記コピーステップでコピーした前記曲データに対応付けてコピー済みを示す情報を前記所定の記憶領域に格納するコピー済情報格納ステップとを有して複製された曲データの再生方法であって、前記リストに基づいて前記記録手段に複製した曲データを前記記録媒体に記録されている順序に従って再生する再生ステップを有するように構成される。記録媒体のセット時にこの記録媒体における曲順を示すリストを作成しつつ、記録手段に複製した曲データを再生する際に、このリストにおける曲順に従って再生することで、記録媒体（記録メディアともいう）での曲順を忠実に再現しつつ複製された曲データを再生することが可能となる。
【００１６】
また、本発明は、所定の読取手段に記録媒体がセットされた際、該記録媒体に含まれる曲データのリストを該記録媒体における曲順に従って作成するリスト作成ステップと、該リスト作成ステップで作成した前記リストを所定の記憶領域に保持するリスト保持ステップと、前記記録媒体に含まれる前記曲データの少なくとも１つを前記記録手段にコピーするコピーステップと、前記コピーステップでコピーした前記曲データに対応付けてコピー済みを示す情報を前記所定の記憶領域に格納するコピー済情報格納ステップとを有する曲データの複製方法であって、前記読取手段に前記記録媒体がセットされた際、該記録媒体におけるコピーしていない曲をコピーするか否かをユーザに選択させるためのダイアログを表示するダイアログ表示ステップを有し、前記コピーステップが、該ダイアログ表示ステップで表示した前記ダイアログに基づいて前記コピーしていない曲のコピーがユーザから指示された場合、該コピーしていない曲の曲データを前記記録手段にコピーするように構成される。記録媒体のセット時にこの記録媒体における曲順を示すリストを作成しつつ、記録手段に曲データを複製することで、再生時にこのリストにおける曲順に従うことにより、容易に記録媒体（記録メディアともいう）での曲順を忠実に再現しつつ複製された曲データを再生させることが可能となる。
【００１７】
また、上記の曲データの複製方法は、例えば前記読取手段に前記記録媒体がセットされた際、前記リスト作成ステップで作成したリストと前記リスト保持ステップで保持したリストとを比較することで、前記記録媒体に対応するリストを特定するリスト特定ステップと、前記リスト特定ステップで特定した前記リストに基づいて前記コピーしていない曲をユーザに判別可能に表示するリスト表示ステップと、該リスト表示ステップで表示した前記コピーしていない曲に基づいてコピー対象とする曲を選択させる対象曲選択ステップとを有し、前記コピーステップが前記対象曲選択ステップで選択された前記コピーしていない曲の曲データを前記記録手段にコピーするように構成されてもよい。記録媒体のセット時にリストを取得して、コピー済みの曲データとコピーしていない曲データとを区別することで、曲データを重複して複製することを回避できる。
【００１８】
また、上記の前記リスト表示ステップは、例えば前記コピーしていない曲を反転表示又は強調表示するように構成されてもよい。これにより、ユーザが容易にコピーしていない曲を判別することができる。
【００１９】
また、上記のリスト作成ステップは、例えば前記記録媒体に含まれる曲数と該記録媒体全体の総演奏時間と各曲データの演奏時間とに基づいて前記リストを作成することで、記録媒体を個別に識別可能とする前記リストを作成するように構成されてもよい。
【００２０】
【発明の実施の形態】
以下、本発明の好適な一実施形態について図面を用いて詳細に説明する。図１は、本実施形態による再生装置１の構成を示すブロック図である。但し、本実施形態ではカーナビゲーション装置３と共に車載された場合を例に挙げて説明する。
【００２１】
図１に示すように、本実施形態による再生装置１は、オーディオコントローラ１１とメモリコントローラ１２とＲＯＭ（Ｒｅａｄ  Ｏｎｌｙ  Ｍｅｍｏｒｙ）１３とＲＡＭ（Ｒａｎｄｏｍ  Ａｃｃｅｓｓ  Ｍｅｍｏｒｙ）１４とエンコーダ／デコーダ１５とＣＤ読取部１６とソース切替部１７とアンプ１８とボリュームコントローラ１９とを有して構成される。
【００２２】
ソース切替部１７には、例えば図示するように、ラジオ受信部２５とＣＤ読取部１６（音楽ＣＤやＣＤ−ＲＯＭ等、以下ＣＤメディアという）と記録媒体（ＨＤＤ）２１とが接続されている。即ち、ソース切替部１７は、音出力するコンテンツのソースを接続された情報ソースの中から切り換える。
【００２３】
オーディオコントローラ１１は、ユーザからＣＤメディアからの再生機能が選択された場合、メモリコントローラ１２を介してＲＯＭ１３又はＲＡＭ１４から所定のプログラム及び各種情報（以下で説明する動作を実現するプログラム及び各種情報）をロードし、これを実行する。即ち、ソース切替部１７においてＣＤ読取部１６を情報ソースとして設定させ、これにより入力された曲データをアンプ１８を介してボリュームコントローラ１９へ入力する。また、オーディオコントローラ１１は、ユーザにより設定された音量（ボリューム）に基づいてボリュームコントローラ１９を制御する。ボリュームコントローラ１９は、この制御に基づいて対応する振幅のアナログ信号を生成し、これをスピーカ２２に入力して再生する。
【００２４】
このような構成において、ＣＤメディアに格納された曲データの複製が要求された場合、オーディオコントローラ１１はソース切替部１７を制御して、ＣＤ読取部１６で読み取った曲データの出力先をエンコーダ／デコーダ１５に切り換える。エンコーダ／デコーダ１５は入力された曲データを、ＭＰＥＧ方式やＭＰ３方式やＡＴＲＡＣ３方式等の所定の圧縮符号化方式で符号化し、これを記録装置（Ｈａｒｄ  Ｄｉｓｋ  Ｄｒｉｖｅ：ＨＤＤ）２１に格納する。このＨＤＤ２１はナビゲーション装置３とも共用される構成であり、各機能毎に割り当てる領域がパーティションで区切られている。
【００２５】
また、ＨＤＤ２１に記録された曲データを再生する場合、オーディオコントローラ１１はソース切替部１７を制御して情報ソースをＨＤＤ２１に設定し、出力先をエンコーダ／デコーダ１５に設定する。エンコーダ／デコーダ１５でデコードされた曲データは、その後、アンプ１８及びボリュームコントローラ１９を介してアナログ信号としてスピーカ２２より出力される。
【００２６】
尚、本実施形態では、各ＣＤメディアを個々に識別するために、ＣＤメディア毎の情報を生成し、これを保持する。この際、生成する情報には、例えばＣＤメディアに含まれる音楽データの曲数や総演奏時間や１曲毎の演奏時間等のＣＤメディアから読み取った情報が含まれる。但し、各データの順序は、オリジナルであるＣＤメディアに格納された曲の順序と同じとする。これにより、ＨＤＤ２１に複製された曲データの再生時にこのＴＯＣ情報を参照することで、オリジナルと同じ順序でこれを再生することが可能となる。また、生成した情報は、図２に示すように、個々のＣＤメディアと一義的に対応づけられた識別情報（識別番号）と共に、ＴＯＣ情報（Ｔａｂｌｅ  Ｏｆ  Ｃｏｎｔｅｎｔｓ）として所定の記憶手段、例えばＨＤＤ２１やＲＡＭ１４等に記憶される。
【００２７】
次に、本実施形態による動作を、図面に基づいて詳細に説明する。図３は、ＣＤメディアを挿入した際に実行される動作を示すフローチャートである。
【００２８】
図３において、まず、ＣＤメディアがセットされると（ステップＳ１０１）、オーディオコントローラ１１は、ＣＤ読取部１６を用いてＣＤメディアに関するＴＯＣ情報を生成する（ステップＳ１０２）。次に、オーディオコントローラ１１は、例えば予めＲＡＭ１４に記憶しておいたＴＯＣ情報と新たに読み取ったＴＯＣ情報とを比較し（ステップＳ１０３）、同一のＴＯＣ情報が存在するか否か、換言すれば、以前において既に登録されているＣＤであるか否かを判別する（ステップＳ１０４）。
【００２９】
この判別の結果、同一のＴＯＣ情報が存在しない場合（ステップＳ１０４のＮｏ）、オーディオコントローラ１１はセットされたＣＤメディアを新規のＣＤメディアと判断し、これを一意に識別するための識別番号を生成し、この識別番号と上記で生成したＴＯＣ情報とを対応付けて、例えばＲＡＭ１４等に格納する（ステップＳ１０５）。また、ユーザには表示装置２４を介してＣＤメディアに格納された全ての曲に関する情報を表示する（ステップＳ１０６）。この際、ユーザに表示される画面の一例を図４（ａ）に示す。これに対し、ステップＳ１０４の判別の結果、同一のＴＯＣ情報が存在する場合（ステップＳ１０４のＹｅｓ）、オーディオコントローラ１１は該当するＴＯＣ情報を、コピー済みの曲と未コピーの曲とを区別して表示装置２４に表示する（ステップＳ１０９）。この際、ユーザに表示される画面の一例を図４（ｂ）に示す。このように、ＣＤメディアの挿入時にＴＯＣ情報を生成して新規なＣＤか否かを判定し、これの結果を表示することで、ユーザによるＣＤ管理の容易性が向上される。
【００３０】
その後、オーディオコントローラ１１は、一連の流れにおいて、未コピーの曲をＨＤＤ２１にコピーするか否かをユーザに指示させるためのダイアログ（図４（ｃ）参照）を表示装置２４に表示し（ステップＳ１０７）、以降、ユーザより入力装置２３から入力された指示に基づいて、再生／コピー／ＣＤの排出等の動作を実行する。但し、オーディオコントローラ１１に接続された入力装置２３及び表示装置２４と、ナビゲーションコントローラ３１に接続された入力装置２３及び表示装置２４とは、同一の構成である。このように、未コピーの曲をコピーするまでを一連の流れにおいて操作できるように構成することで、ユーザの利便性及び操作性が向上される。
【００３１】
また、上記の流れにおいて、未コピーの曲をコピーする指示が入力された際の動作を図５のフローチャートを用いて詳細に説明する。
【００３２】
まず、図３のステップＳ１０７で表示したダイアログ（図４（ｃ）参照）から未コピーの曲のコピー指示が入力されると（ステップＳ１０８１）、オーディオコントローラ１１は、既コピーの曲と未コピーの曲（新規のＣＤであれば全て未コピーの曲）とを区別して表示し（ステップＳ１０８２）、ユーザにコピーする曲を選択するか否かを指示を求めるダイアログ（図４（ｄ）参照）を表示装置２４に表示する（ステップＳ１０８３）。ここで、既コピーの曲と未コピーの曲（新規のＣＤであれば全て未コピーの曲）とを区別した表示の例を図６を用いて以下に説明する。
【００３３】
図６（ａ）に示すように、１回目のコピーの際（新規ＣＤ）は、全ての曲を選択可能な曲として列挙し、この中から所望する曲を選択できるように構成する。尚、この際、表示装置２４及び入力装置２３を表示機能付タッチパネルとして構成することで、選択入力をユーザに容易に行わせることができる。また、２回目以降のコピーの際の表示画面を図６（ｂ）〜（ｄ）に示す。（ｂ）では、既にコピーした曲をブランクとし、未コピーの曲のみをリストアップして表示した場合の例を示している。（ｃ）では、ＴＯＣ情報に含まれている全ての曲をコピーの済／未と共に表示した場合の例を示している。また、（ｄ）では、ＴＯＣ情報に含まれている全ての曲を表示すると共に、既コピー又は未コピーの曲を反転表示又は強調表示した場合の例を示している。このように、未コピーの曲をユーザが判別できるように構成することで、容易且つ重複することなく、ユーザに所望の曲を選択させることが可能となる。
【００３４】
このような表示に基づいてユーザから曲を選択する指示（図４（ｄ）におけるＹｅｓ）が入力された場合（ステップＳ１０８４のＹｅｓ）、オーディオコントローラ１１は、図４（ａ）又は（ｂ）の表示に基づいて選択されたコピーする曲を受け付け（ステップＳ１０８５）、この選択された曲を上述した構成に基づいてエンコードしてＨＤＤ２１の所定の領域に複製する（ステップＳ１０８６）。これに対し、ステップＳ１０８３で表示したダイアログに基づいて曲を選択しない指示（図４（ｄ）におけるＮｏ）が入力された場合（ステップＳ１０８４のＮｏ）、オーディオコントローラ１１は、未コピーの曲全てを選択し（ステップＳ１０８８）、この選択された曲を上記と同様にエンコードしてＨＤＤ２１の所定の領域に複製する（ステップＳ１０８６）。
【００３５】
その後、ＲＡＭ１４等に格納されたＴＯＣ情報におけるコピー済／未のフラグを‘済’に書き換え（ステップＳ１０８７）、コピー時の動作を終了する。これにより、次にＣＤメディアを挿入した際に読み出される（表示される）画面において、コピー済／未の表示が更新される。
【００３６】
また、オーディオコントローラ１１は、ＨＤＤ２１にコピー済みの曲をＣＤメディア毎に再生する際、ＴＯＣ情報に基づいて、オリジナルの順序（ＣＤメディアと同じ順序）で再生可能に構成する。これは、オーディオコントローラ１１がＴＯＣ情報を読出し、これに登録された順序に従って曲データを読み出して再生することで実現される。これを図７を用いて詳細に説明する。
【００３７】
例えば１回目のコピー時に全８曲中、１曲目，３曲目，７曲目の計３曲をコピーし、２回目のコピー時に残りの曲を全てコピーした場合、ＨＤＤ２１に記録されている曲データの順序は、コピーした順序（１，３，７，２，４，５，６，８）となっている。そこで、オーディオコントローラ１１は、ＨＤＤ２１からの再生時に、格納しておいたＴＯＣ情報を読出す。このＴＯＣ情報では、上述のように、オリジナルであるＣＤメディアに記録された曲順に各曲の情報が格納されているため、オーディオコントローラ２１は、この曲情報に基づいて順次、曲データを読出し、これを再生する。これにより、再生順序はオリジナルのＣＤメディアと同じ順序（１，２，３，４，５，６，７，８）となる。
【００３８】
以上のように構成及び動作することで、複製された曲データを記録メディアでの曲順を忠実に再現しつつ再生することができる再生装置及び複製された曲データの再生方法が実現される。また、このように記録メディアでの曲順を再現した再生を可能とするための曲データの複製方法も実現される。
【００３９】
尚、以上の説明では、記録メディアとして音楽ＣＤやＣＤ−ＲＯＭ等を例に挙げて説明したが、本発明ではこれに限定されず、ＤＶＤ（ｄｉｇｉｔａｌ  Ｖｉｄｅｏ  Ｄｉｓｋ）−ＲＯＭ等の他の記録メディアであっても同様である。更に、記録装置２１としてＨＤＤを例に挙げて説明したが、これに限定されず、曲データを十分に格納できる程度の記憶容量を有する装置であれば如何なるものも適用することが可能である。
【００４０】
このように、本発明は、以上で説明した実施形態に限らず、その趣旨を逸脱しない限り種々変形して実施可能である。但し、著作権等の侵害の無いように、コピー時に違法な複製を防止する機能を設けることが好ましい。
【００４１】
【発明の効果】
以上説明したように、複製された曲データを記録メディアでの曲順を忠実に再現しつつ再生することができる再生装置及び複製された曲データの再生方法が実現される。また、このように記録メディアでの曲順を再現した再生を可能とするための曲データの複製方法が実現される。
【図面の簡単な説明】
【図１】本発明の一実施形態による再生装置１の構成を示すブロック図である。
【図２】本発明の一実施形態において作成されるＴＯＣ情報の一例を示すテーブルである。
【図３】図１に示す再生装置１のＣＤ挿入時の動作を示すフローチャートである。
【図４】図３に示すフローチャートにおいて表示装置２４に表示される画面を示す図である。
【図５】図３に示すフローチャートにおいて未コピーの曲をコピーする指示が入力された際の動作を示すフローチャートである。
【図６】図５のステップＳ１０８２において既コピーの曲と未コピーの曲とを区別して表示する際の例を示す図である。
【図７】オーディオコントローラ１１がＨＤＤ２１にコピー済みの曲をＣＤメディア毎に再生する際の流れを説明するための図である。
【符号の説明】
１  再生装置
３  ナビゲーション装置
１１  オーディオコントローラ
１２  メモリコントローラ
１３  ＲＯＭ
１４  ＲＡＭ
１５  エンコーダ／デコーダ
１６  ＣＤ読取部
１７  ソース切替部
１８  アンプ
１９  ボリュームコントローラ
２１  記録装置
２２  スピーカ
２３  入力装置
２４  表示装置
２５  ラジオ受信部
３１  ナビゲーションコントローラ
３２  メモリ
３３  データ読出装置
３４  車両速度検出装置
３５  ＧＰＳ受信機
【図１】
2004259365.tif 000003
【図２】
2004259365.tif 000004
【図３】
2004259365.tif 000005
【図４】
2004259365.tif 000006
【図５】
2004259365.tif 000007
【図６】
2004259365.tif 000008
【図７】
2004259365.tif 000009